(57)【要約】【課題】雨水等が建築物内部へ浸入する虞のある大きなひび割れの発生を防止することができるモルタル壁用基材およびモルタル壁施工方法を提供すること。【解決手段】１枚の下地シート２に敷設されるラス材３は、その下地シート２より小さな４つの区画に分断されて略碁盤目状に敷設されている。また、上下又は左右に隣り合うラス材３，３によれば、その一方のラス材３の透孔３ａの短目幅方向と他方のラス材３の透孔３ａの短目幅方向とが略直角に交差するように、敷き並べられている。また、隣り合うラス材３，３同士の間には、若干の隙間Ｗが設けられており、各ラス材３，３の縁部同士が互いに重なり合わないように離間されている。このように構成された壁用基材１が壁面等１０に貼り付けられ、その上から各種のモルタル５が塗着されてモルタル層６内が形成される。【選択図】        図１
2004197497.tif 000002
【特許請求の範囲】
【請求項１】
建築物の壁面等に敷設可能な略シート状の下地材と、
その下地材より小さな区画に分断されると共に、複数の透孔が一面に穿設され前記下地材の一面に複数敷設される骨材とを備えていることを特徴とするモルタル壁用基材。
【請求項２】
前記骨材は収縮可能な構造に形成されていることを特徴とする請求項１記載のモルタル壁用基材。
【請求項３】
前記骨材は少なくとも一方向に収縮可能な構造に形成され、隣り合う前記骨材同士は互いの収縮方向が略直角に交差していることを特徴とする請求項１又は２に記載のモルタル壁用基材。
【請求項４】
隣り合う前記骨材同士の縁部間には若干の隙間が設けられていることを特徴とする請求項１から３のいずれかに記載のモルタル壁用基材。
【請求項５】
複数の前記骨材は、前記下地材に略碁盤目状に敷設されていることを特徴とする請求項１から４のいずれかに記載のモルタル壁用基材。
【請求項６】
建築物の壁面等に略シート状の下地材を敷設し、
その下地材より小さな区画に分断され複数の透孔が一面に穿設された骨材を、下地材の一面に複数敷き並べた状態に取着し、
その取着された複数の骨材にモルタルを塗着することを特徴とするモルタル壁施工方法。
【請求項７】
前記下地材の一面に敷き並べられる骨材は収縮可能な構造に形成されていることを特徴とする請求項６記載のモルタル壁施工方法。
【請求項８】
前記骨材は少なくとも一方向に収縮可能な構造に形成され、前記骨材を敷き並べる工程は、隣り合う前記骨材同士の収縮方向を略直角に交差させることを特徴とする請求項６又は７に記載のモルタル壁施工方法。
【請求項９】
前記骨材を敷き並べる工程は、隣り合う前記骨材同士の縁部間に若干の隙間を設けることを特徴とする請求項６から８のいずれかに記載のモルタル壁施工方法。
【発明の詳細な説明】
【０００１】
【発明の属する技術分野】本発明は、建築物の壁面等に施工されるモルタル壁に関し、特に、そのモルタル壁の基礎となるモルタル壁用基材、及び、そのモルタル壁の施工方法に関するものである。
【０００２】
【従来の技術】モルタル壁は、例えば、木造建築物や鉄骨建築物の内壁、外壁または天井などに用いられている。モルタル壁の施工方法では、その建築物に応じて種々の方法があるが、例えば、建築物の壁面等に配設される構造用部材に防水シートなどの下地材を貼り付けた後、金属製のラス材（骨材）をタッピングビスやタッカ針で取着し、その上に軽量モルタル等が塗着されてモルタル層が形成されている。
【０００３】
【発明が解決しようとする課題】しかしながら、上記したモルタル壁は、塗り付けたモルタルに対する下地材及び骨材の拘束力が比較的脆弱であるため、モルタル層の収縮等に伴ったひび割れが発生し易い状況にある。そこで、モルタル層の塗り付け回数を増やしたり（塗り付け厚の低減）、モルタル層の強度を低くする（収縮応力の低減）などの工夫がなされているが、ひび割れの発生を完全に防止するには至っていない。
【０００４】
例えば、特開平５−２８０１７０号公報では、モルタル層表面に炭素繊維製の不織布を添加することにより補強層を形成して仕上げ面のひび割れ防止を図る施工方法も提案されているが、かかる方法であっても、時として長さ数メートル、幅数ミリに至るような大きなひび割れの発生を効果的に抑制し得るものではないという問題点があった。特に、このような大きなひび割れはモルタル壁内への雨水等の浸入を招き、ラス材や構造用部材が腐食の危険に曝されるという問題点もある。
【０００５】
本発明は、上述した問題点を解決するためになされたものであり、雨水等が建築物内部へ浸入する虞のある大きなひび割れの発生を防止することができるモルタル壁用基材およびモルタル壁施工方法を提供することを目的としている。
【０００６】
【課題を解決するための手段】この目的を達成するために請求項１記載のモルタル壁用基材は、建築物の壁面等に敷設可能な略シート状の下地材と、その下地材より小さな区画に分断されると共に、複数の透孔が一面に穿設され前記下地材の一面に複数敷設される骨材とを備えている。
【０００７】
この請求項１記載のモルタル壁用基材によれば、下地材には複数の骨材が予め敷設されており、その複数の骨材の非敷設面が建築物の壁面等に向けられた状態で、下地材が建築物の壁面等に敷設される。この下地材の敷設によりモルタル壁用基材は建築物の壁面等に敷設され、タッカ針等の固定具により建築物の壁面等に固定される。この固定後は、複数の骨材を覆い隠すようにモルタルが塗着され、そのモルタルが骨材の透孔を介して骨材に付着して、建築物の壁面等に保持される。更に、モルタルを塗り込むと、複数の骨材がモルタル層内に埋設され、モルタル壁が建築物の壁面等に形成される。
【０００８】
請求項２記載のモルタル壁用基材は、請求項１記載のモルタル壁用基材において、前記骨材は収縮可能な構造に形成されている。
【０００９】
請求項３記載のモルタル壁用基材は、請求項１又は２に記載のモルタル壁用基材において、前記骨材は少なくとも一方向に収縮可能な構造に形成され、隣り合う前記骨材同士は互いの収縮方向が略直角に交差している。
【００１０】
請求項４記載のモルタル壁用基材は、請求項１から３のいずれかに記載のモルタル壁用基材において、隣り合う前記骨材同士の縁部間には若干の隙間が設けられている。
【００１１】
請求項５記載のモルタル壁用基材は、請求項１から４のいずれかに記載のモルタル壁用基材において、複数の前記骨材は、前記下地材に略碁盤目状に敷設されている。
【００１２】
請求項６記載のモルタル壁施工方法は、建築物の壁面等に略シート状の下地材を敷設し、その下地材より小さな区画に分断され複数の透孔が一面に穿設された骨材を、下地材の一面に複数敷き並べた状態に取着し、その取着された複数の骨材にモルタルを塗着する。
【００１３】
請求項７記載のモルタル壁施工方法は、請求項６記載のモルタル壁施工方法において、前記下地材の一面に敷き並べられる骨材は収縮可能な構造に形成されている。
【００１４】
請求項８記載のモルタル壁施工方法は、請求項６又は７に記載のモルタル壁施工方法において、前記骨材は少なくとも一方向に収縮可能な構造に形成され、前記骨材を敷き並べる工程は、隣り合う前記骨材同士の収縮方向を略直角に交差させる。
【００１５】
請求項９記載のモルタル壁施工方法は、請求項６から８のいずれかに記載のモルタル壁施工方法において、前記骨材を敷き並べる工程は、隣り合う前記骨材同士の縁部間に若干の隙間を設ける。
【００１６】
【発明の実施の形態】以下、本発明の好ましい実施例について、添付図面を参照して説明する。図１は、本発明のモルタル壁用基材の一実施例である壁用基材１の平面図である。
【００１７】
図１に示すように、壁用基材１は、主に、平面視略正方形状に形成されており、薄手の略シート状に形成された下地シート２と、その下地シート２の一面に複数敷設されるラス材３と、そのラス材３を下地シート２の表面に貼着する取着材４とを備えている。下地シート２は、建築物の外壁、内壁または天井等（以下「壁面等」と称す）１０にモルタル壁７（図５参照）を施工する場合にモルタル壁７の基材の一部として使用される下地材あり、例えば、アスファルトフェルトやアスファルトルーフィング等の防水シートで構成されている。
【００１８】
ラス材３は、下地シート２と共にモルタル壁７の基材の一部として使用される骨材であり、その一面に平面視略菱形状の透孔３ａが複数穿設されたメタルラスで構成されている。メタルラス（metal lath）は、例えば、厚さ０．５〜０．８ｍｍ程度の可撓性を有する金属製薄板に多数の切れ目を規則的に入れて、その切れ目と直交する方向（図２左右方向）に金属製薄板を伸張させたものであり、エキスパンデッドメタル（expanded metal）の一種である。
【００１９】
図２は、ラス材３の拡大平面図である。図２に示すように、複数の透孔３ａは、上記した通り略菱形状に形成されており、その長目幅ＬＷの方が短目幅ＳＷより大きくされている（ＬＷ＞ＳＷ）。このため、モルタル層６（図５参照）の収縮に伴う内部応力が各透孔３ａを仕切る骨部３ｂに作用する場合、ラス材３は、長目幅ＬＷ方向よりも短目幅ＳＷ方向へより収縮し易い構造となる。即ち、モルタル層６内に埋設されたラス材３は、透孔３ａの短目幅ＳＷが収縮方向となるのである。
【００２０】
図１に戻って説明する。１枚の下地シート２に敷設されるラス材３は、その下地シート２より小さな４つの区画に分断されて略碁盤目状に敷設されている。また、上下又は左右に隣り合うラス材３，３によれば、その一方のラス材３の透孔３ａの短目幅ＳＷ方向と他方のラス材３の透孔３ａの短目幅ＳＷ方向とが略直角に交差するように、敷き並べられている。即ち、隣り合うラス材３，３は、互いの収縮方向が略直角に交差するように下地シート２の一面上に敷設されている。また、隣り合うラス材３，３同士の間には、若干の隙間Ｗが設けられており、各ラス材３，３の縁部同士が互いに重なり合わないように離間されている。
【００２１】
取着材４は、ラス材３の縁部より内側の四隅にそれぞれ点在され、かかる４点を以て下地シート２の表面に１枚のラス材３を貼着させている。このように、ラス材３は、数箇所に点在する取着材４により下地シート２の表面に貼着（取着）されるので、取着材４が不在の部位がモルタル層６の収縮に伴って自由に収縮することができるのである。ここで、本実施例では、取着材４にはシリコン樹脂などの固化以前に粘着性を有する樹脂製接着材を用いている。なお、取着材４による取着箇所の数は必ずしも４箇所に限定されるものではなく、１枚のラス材３を複数点で下地材２に取着できれば良い。
【００２２】
ここで、取着材４によりラス材３を下地シート２に貼着する時期としては、下地シート２を建築物の壁面等１０（図５参照）へ貼り付ける以前に予め貼着する場合と、下地シート２を建築物の壁面等１０に貼り付けた後に貼着する場合とが想定される。前者の場合は、主としてモルタル壁７の施工以前より壁用基材１を一体の製品として取り扱うものであり、後者の場合は、主としてモルタル壁７の施工以前において壁用基材１の下地シート２とラス材３とを別々の製品として取り扱うものである。
【００２３】
図３から図５を参照して、上記のように構成された壁用基材１を用いたモルタル壁施工方法について説明する。図３は、壁用基材１がモルタル壁７の施工前から一体の製品である場合におけるモルタル壁７の施工工程図であり、図４は、モルタル壁７の施工前に壁用基材１の下地シート２とラス材３とが別体である場合におけるモルタル壁７の施工工程図である。また、図５は、図３又は図４に示した施工工程により施工されたモルタル壁７の部分断面図である。
【００２４】
図３に示す施工工程は、壁用基材１が予め一体製品である場合に採用される。この施工工程では、まず、壁用基材１が建築物の壁面等１０にタッカ針などにより貼り付けられる（Ｓ１）。１枚の壁用基材１は、例えば、約５０ｃｍ四方の平面視略正方形状に形成されるので、モルタル壁７を施工すべき壁面等１０の全面を覆うには複数の壁用基材１が並べて貼り付けられる（Ｓ２：Ｎｏ）。全ての壁用基材１が壁面等１０に貼り付けられると（Ｓ２：Ｙｅｓ）、建築物の壁面等１０には、複数の小区画に分断されたラス材３が下地シート２の表面に敷き並べられる。このように敷き並べられた各ラス材３は、それを覆い隠すように塗着される各種のモルタル５から成るモルタル層６内に埋設され（Ｓ３）、モルタル層６の表面の仕上げや乾燥などのその他の施工がなされて（Ｓ４）、モルタル壁７が完成する。
【００２５】
図４に示す施工工程は、壁用基材１の下地シート２とラス材３とが予め別個の製品である場合に採用される。この施工工程では、まず、下地シート２が建築物の壁面等１０にタッカ針などにより貼り付けられる（Ｓ１１）。建築物の壁面等１０が下地シート２により覆われると、ラス材３が取着材４により取着（貼着）されつつ下地シート２表面に敷設される（Ｓ１２）。１枚のラス材３は下地シート２より小さな区画に分断されたものであるので、建築物の壁面等１０には、複数枚のラス材３が略碁盤目状に敷き並べられる（Ｓ１３：Ｎｏ）。
【００２６】
ここで、下地シート２上にラス材３を敷き並べる工程では、隣り合うラス材３同士の間に若干の隙間Ｗが設けられ、更に、隣り合うラス材３同士の透孔３ａの短目幅ＳＷ方向が略直角に交差するように並べられる。全てのラス材３が取着されると（Ｓ１３：Ｙｅｓ）、各ラス材３は、それを覆い隠すように塗着される各種のモルタル５から成るモルタル層６内に埋設され（Ｓ１４）、モルタル層６の表面の仕上げや乾燥などのその他の施工がなされて（Ｓ１５）、モルタル壁７が完成する。
【００２７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００２８】
例えば、壁用基材１の平面形状は必ずしも正方形状に限られるものではなく、他の形状、例えば、長方形状や、頂部が三角形状の壁面等に合わせた三角形状などとしても良い。また、下地シート２の材質は必ずしも防水シートである必要はなく、ハトロン紙、厚紙、新聞紙またはフェルト紙等の撥水処理が施されていない非防水シートであっても良い。更に、下地シート２の材質は必ずしも紙製シート単体に限られるものではなく、紙製シート以外の樹脂製シート、布製シート若しくはこれらの結合又はこれらと紙製シートとの結合であっても良い。
【００２９】
また、本実施例で説明したラス材３は透孔３ａが略菱形状のメタルラスであったが、ラス材の形態は必ずしもこれに限定されるものではなく、上記したラス材３と同様の作用及び効果を奏するものであれば、例えば、透孔の形状、材質又は構造が異なった別の形態であっても良い。具体的には、ラス材の透孔の形状は菱形以外の多角形や円形、楕円形などでも良く、ラス材の材質は金属以外の樹脂や布や木製などでも良い。また、ラス材の構造は、丸形、菱形又は亀甲形等の網目に線材を編んだ金網状のワイヤラスや、メタルラスの一種であるリブラスやヘリンボーンラス等であっても良く、金属板や樹脂板に任意形状の透孔をプレス加工により穿設したものであっても良い。
【００３０】
更に、本実施例では取着材４として樹脂製接着材を用いて説明したが、かかる取着材は、ラス材を下地シートに収縮可能に取着可能なものであれば必ずしも接着材に限られるものではなく、例えば、１枚のラス材を下地シート表面の数カ所で取着するタッカ針などであっても良い。
【００３１】
【発明の効果】本発明のモルタル壁用基材またはモルタル壁施工方法によれば、モルタル層内に埋設される骨材は下地材に比べて小さな複数の区画に分断されるので、各骨材の境界部分ではモルタル層の剛性強度を低くすることができる。この結果、モルタル層の収縮等に起因する内部応力が各骨材の境界部分に集中するので、これによりモルタル層に発生するひび割れを各骨材の境界部分に誘発させることができるという効果がある。
【００３２】
このようにして誘発されるモルタル層のひび割れは、そのモルタル層内に埋設される複数の骨材同士の境界部分に分散して複数生じるので、建築物の壁面等に筋状に連続する大きなひび割れの発生を防止することができるという効果がある。しかも、一つ一つのひび割れは肉眼で確認不可能な程度に微細な亀裂となるので、建築物の壁面等の美観を損ねる虞もなく、且つ、一度に大量の雨水等が建築物内へ浸入することも防止できるという効果がある。
【００３３】
また、特に、請求項２記載のモルタル壁用基材、又は、請求項７記載のモルタル壁施工方法によれば、モルタル層内に埋設される骨材は収縮可能な構造に形成されるので、モルタル層の経時的な収縮に伴わせて各骨材を収縮させることができる。この骨材の収縮によってモルタル層内での内部応力の増加を抑制することができ、更に、モルタル層及び骨材相互間の収縮量の相違に起因した骨材とモルタル層との剥離を抑制でき、結果、モルタル壁の脆弱化を抑制できるという効果がある。
【００３４】
また、請求項３記載のモルタル壁用基材、又は、請求項８記載のモルタル壁施工方法によれば、隣り合う骨材同士は互いの収縮方向が略直角に交差するように下地材に敷設される。このため、例えば、一の骨材がモルタル層の収縮で縦方向に収縮する場合には、それと隣り合う骨材はモルタル層の収縮で横方向に収縮することとなる。従って、モルタル層には、一の骨材の上下と、それに隣り合うの他の骨材の左右に、それぞれ別々に微細亀裂を生じることとなる。故に、モルタル層が収縮する場合において、隣り合う骨材同士は互いに異なる箇所に微細な亀裂を誘発させることとなるので、個々の亀裂の成長拡大を低減できるという効果がある。
【００３５】
また、請求項４記載のモルタル壁用基材、又は、請求項９記載のモルタル壁施工方法によれば、隣り合う骨材同士の縁部間には若干の隙間が設けられており、モルタル層は、かかる隙間部分に対応する箇所での強度が弱められている。これによって、モルタル層の収縮等に伴う内部応力を隣り合う骨材間に更に積極的に集中させて微細亀裂の発生を誘導することができるという効果がある。しかも、隣り合う骨材間に若干の隙間を設けることで、仮に気温などの環境条件の変化により骨材が伸張変形するような場合に、隣り合う骨材同士が干渉することを防止できるという効果がある。
【００３６】
また、請求項５記載のモルタル壁用基材によれば、複数の骨材は略碁盤目状に敷設されるので、骨材が下地材に敷設されたままの状態であっても、その各骨材間を折目にしてモルタル壁用基材を折り畳むことができ、容易に携帯し或いは運搬することができるという効果がある。
【図面の簡単な説明】
【図１】本発明の一実施例である壁用基材の平面図である。
【図２】ラス材の拡大平面図である。
【図３】壁用基材がモルタル壁の施工前から一体の製品である場合におけるモルタル壁の施工工程図である。
【図４】モルタル壁の施工前に壁用基材の下地シートとラス材とが別体である場合におけるモルタル壁の施工工程図である。
【図５】壁用基材を用いたモルタル壁の部分断面図である。
【符号の説明】
１                  壁用基材（モルタル壁用基材）
２                  下地シート（下地材）
３                  ラス材（骨材）
６                  モルタル層
１０                建築物の壁面等
【図１】
2004197497.tif 000003
【図２】
2004197497.tif 000004
【図３】
2004197497.tif 000005
【図４】
2004197497.tif 000006
【図５】
2004197497.tif 000007